(57)【要約】【課題】  単に衣類の汚れを防いだり水滴から衣類を守るだけでなく、他の用途にも使用することができるエプロンを実現する。【解決手段】  綿を素材として布面を細かいループで覆ったパイル織の長方形状の布地を、エプロン地１１とする。エプロン布１１のおもて面の一方の端部付近の上端部に、着脱テープ１２を縫着する。着脱テープ１２の縫着部位に相応するエプロン布１１の裏面の部位に、エプロン布１１のおもて面に縫着した着脱テープ１２と緊く接合する着脱テープ１３を縫着する。エプロン布１１のおもて面に、所定の間隔をおいて２つのミトン型の鍋掴み１４，１５を、着脱テープにより着脱可能に取り付ける。【選択図】        図１
0003123770.tif 000002
【実用新案登録請求の範囲】
【請求項１】
所定形状に形成されたエプロン布（１１，２１，３１）と、
前記エプロン布の上部両端部に設けられた、前記エプロン布の身体腰部への装着を保持するための保持手段（１２，１３，２２，２３，３２）と、
前記エプロン布のおもて面の所定の部位に着脱テープ（１７，１８）により着脱可能に取り付けられた２つのミトン型の鍋掴み（１４，１５）と
を具備したエプロン。
【請求項２】
前記エプロン布の材料がタオル地である請求項１記載のエプロン。
【請求項３】
所定形状に形成されたエプロン布（４１）と、
前記エプロン布の上部両端部に設けられた、前記エプロン布の身体腰部への装着を保持するための保持手段（１２，１３）と、
前記エプロン布のおもて面の所定の部位に着脱可能に取り付けられた２つのミトン型の鍋掴み（１４，１５）と、
前記エプロンのおもて面に上端部が固着されたタオル地からなる所定形状の手拭き布（４２）と
を具備したエプロン。
【考案の詳細な説明】
【技術分野】
【０００１】
本考案は、エプロンに関する。より詳しくは、単に衣類の汚れを防いだり水滴から衣類を守るだけでなく、他の用途にも使用することができる利便性の高いエプロンを提供せんとするものである。
【背景技術】
【０００２】
従来より用いられているエプロンには、所定形状の布地の上部両端部に結び紐を付け、この結び紐を身体の腰部の背面側で結ぶサロン・エプロンや、結び紐は用いずに腰部の周囲全体を布地で覆うようにしたうえで、布地の両端部どうしを重ね合わせて係止するラップ・エプロンなど、様々な種類がある。
【考案の開示】
【考案が解決しようとする課題】
【０００３】
しかしながら、従来より用いられているエプロンは、衣類の汚れを防いだり水滴から衣類を守ることが使用目的であり、ファッション性の向上について提案されることはあっても、機能性を拡充してその利便性を高めることについて考究されることはなかった。
【課題を解決するための手段】
【０００４】
そこで、エプロンの機能性を拡充してその使用価値を高めるために、本考案はなされたものである。そのために、本考案では、タオル地からなるエプロン布のおもて面の所定の部位に、加熱されて高温状態の鍋を掴むためのミトン型の鍋掴みを着脱可能に取り付けるようにした。
【０００５】
また、エプロン布のおもて面の所定の部位に、ミトン型の鍋掴みを着脱可能に取り付けるとともに、エプロンのおもて面にタオル地からなる手拭き布の上端部を固着するようにもした。
【考案の効果】
【０００６】
本考案によるならば、鍋掴みがエプロンに着脱可能に取り付けられているので、加熱されて高温状態にある鍋をとっさに掴む必要がある場合などには、安全面を考慮して炎を発するコンロから離れた位置の壁面などに鍋掴みが懸吊されている場合と比較して、迅速に鍋掴みを使用することができる。
【０００７】
また、エプロンの材料として吸水性に富む素材を用いた布地を使用すれば、水に濡れた手などを拭く必要がある場合には、直ちにエプロンで手を拭くことができることから、タオルが懸吊してある他の場所まで移動する必要もなく、また、移動する間に手に付着した水などが床面に落ちることもない。
【０００８】
さらには、ミトン型の鍋掴みをエプロンと組み合わせることにより、エプロンのデザイン上の面白みを加えることができ、デザイン面からもエプロンの商品価値を高めることに寄与する。
【考案を実施するための最良の形態】
【０００９】
本考案によるエプロンは、所定形状に裁断され縁取りされたエプロン布のおもて面の所定部位に、右手用および左手用の２つの鍋掴みを着脱可能に取り付けることにより、衣類の汚れを防いだり水滴から衣類を守る機能だけでなく、他の機能も併有するようにしている。以下、実施例により詳しく説明する。
【実施例１】
【００１０】
図１は、本考案の実施例１の構成を示す正面図である。ここに示したエプロン布１１は、身体腰部の周囲全体を包むようにしたうえで両端部どうしを重ね合わせて係止するラップ・エプロンを形成している。その形状は、本実施例では、長方形状に形成されており、サイズは、縦Ｌ40cm、横Ｗ120cmである。このエプロン布１１の材料には、吸水性に富む天然繊維である綿を用い、かつ、布面を細かいループで覆ったパイル織の、多くは手拭き用として使用される布地（以下、「タオル地」という。）が用いられている。
【００１１】
また、エプロン布１１のおもて面の一方の端部付近の上端部には、プラスチックの細い繊維からなる細かいフック状のものを表面に無数に密生させた着脱テープ１２が、縫着されている。他方、この着脱テープ１２の縫着部位に相応するエプロン布１１の裏面の部位には、同じくプラスチックの細い繊維からなる細かいループ状のものを表面に無数に密生させた着脱テープ１３が、縫着されている。したがって、これらの着脱テープ１２，１３を接合させれば、一方の着脱テープ１２におけるフック状のものが、他方の着脱テープ１３におけるループ状ものと係合することにより、両者は緊く接合する一方で、両者をそれぞれ反対方向に引っ張れば、両者の緊合状態は解除されることになる。
【００１２】
さらに、エプロン布１１のおもて面には、所定の間隔をおいて２つのミトン型の鍋掴み１４，１５が、着脱可能に取り付けられている。すなわち、図２に示すように、鍋掴み１４の掴み部１６における上端部近傍に、上述した着脱テープ１２と同一構造の着脱テープ１７が縫着されるとともに、この着脱テープ１７と緊く接合する着脱テープ１８が、エプロン布１１のおもて面に縫着されている。なお、図２では、説明を簡単にするため、右手用の鍋掴み１４のみを図示したが、左手用の鍋掴み１５（図１）も同様にしてエプロン布１１に着脱可能に取り付けられている。
【００１３】
これらの鍋掴み１４，１５の布地の素材には、本実施例では、綿が用いられているが、綿以外の素材からなる布地であってもよい。また、鍋掴み１４，１５の掴み部１６は、本実施例では、断熱目的のため、２枚重ねの布地の間に中綿を薄く充填したうえでキルティング加工しているが、１枚の厚い布地からなる鍋掴みであってもよい。
【００１４】
以上のように構成されたエプロンを使用する場合は、身体腰部の周囲全体を覆うようにしたうえで、図３（ａ）に示すように、腰部の背面側においてエプロン布１１のおもて面に縫着された着脱テープ１２と、エプロン布１１の裏面に縫着された着脱テープ１３とを接合させる。これにより、エプロン布１１の腰部への装着が保持される。
【００１５】
そこで、キッチンで調理をしている場合において、加熱されて高温となっている鍋を掴む必要があるときは、エプロン布１１のおもて面に着脱可能に取り付けられた各鍋掴み１４，１５内に左右の手をそれぞれ差し入れて、図３（ｂ）に示すように、各鍋掴み１４，１５をエプロン布１１より引き離せば、迅速に高温の鍋を掴むことができる。
【００１６】
鍋掴み１４，１５は、安全上の見地から炎を発するコンロからはやや離隔した位置の壁面などに懸吊されているものであることから、とっさに高温の鍋を掴む必要がある場合などには、本考案によれば、迅速に鍋掴み１４，１５を使用して対処することが可能となる。
【００１７】
他方、エプロン布１１の材料に吸水性に富む綿を用いたタオル地を使用していることから、手に付着した水などを拭く必要がある場合は、直ちにエプロン布１１で手を拭くことができる。すなわち、タオルが懸吊してある他の場所まで移動する必要がなく、移動する間に手に付着した水などが床面に落ちることもない。
【００１８】
以上においては、エプロン布１１の形状を長方形状に形成する場合について説明したが、本考案は、これに限定されるものではない。その他にも、例えば、図４に示すように、エプロン布２１の形状を略三日月状に形成する場合にも、本考案は適用され得るものである。
【００１９】
また、身体の腰部へのエプロン布１１の装着を保持する手段として、エプロン布１１のおもて面および裏面の端部にそれぞれ着脱テープ１２，１３を縫着する場合を、例として説明した。しかし、本考案は、これに限られるものではない。その他にも、例えば、エプロン布１１のおもて面の端部にボタン・ホールを設け、裏面の端部にボタン・ホールと係合するボタンを取り付ける場合にも、本考案は適用し得るものである。
【００２０】
さらに、身体腰部の周囲全体を覆うようにして使用するラップ・エプロンを例に挙げて説明したが、本考案は、これに限られるものではない。その他にも、例えば、図５に示すように、エプロン布３１の上端部に結び紐を付け、この結び紐を腰部の背面側で結んで使用するサロン・エプロンにも、本考案は適用することができるものである。
【００２１】
なお、鍋掴み１４，１５をエプロンと組み合わせることに重点をおき、手拭き用途は重視しない場合は、エプロン布１１の材料にはタオル地を用いずに、パイル織でない布地を使用するようにしてもよい。その場合は、布地の吸水性は問題とならないので、布地の素材を綿に限る必要はないことになる。
【実施例２】
【００２２】
図６は、本考案の実施例２の構成を示す正面図であり、図１における構成要素と同一の構成要素については、同じ符号を付して説明する。
【００２３】
図６において、図１に示した実施例１の構成と異なるところは、第１に、エプロン布４１の材料にタオル地を用いていないこと、第２に、エプロン布４１のおもて面の中央部に、各鍋掴み１４，１５に挟まれるようにしてタオル地を用いた略Ｕ字状の手拭き布４２が取り付けられていることである。この手拭き布４２は、その上端部のみが縫着によりエプロン布４１に固着されている。
【００２４】
先の図１に示した実施例１では、タオル地のエプロン布１１は、身体腰部の周囲全体に装着して使用するため、エプロン布１１の裾部を上方に持ち上げて手を拭くことができないという難点がある。これに対して、本実施例では、腰部の周囲全体に装着するエプロン布４１とは別個に、タオル地の手拭き布４２をその上端部のみをエプロン布４１に縫着しているので、その裾部を上方に持ち上げて手を拭くことができる結果、手拭き用として使い易いという効果を得ることができる。
【００２５】
なお、手拭き布４２は、図６に示した略Ｕ字状の形状に限られるものではなく、例えば方形状であってもよい。また、図５に示したサロン・エプロンのようなラップ・エプロンでないエプロンであって、エプロン布３１としてタオル地を用いていない場合には、図６に示した、手拭きに適したタオル地の手拭き布４２を、エプロン布３１のおもて面に配するようにしてもよい。
【図面の簡単な説明】
【００２６】
【図１】本考案の実施例１の構成を示す正面図である。
【図２】図１に示した鍋掴みをエプロンに着脱可能に取り付けるための構成を示す構成図である。
【図３】図１に示したエプロンの使用方法を説明するための説明図である。
【図４】図１に示した実施例の他の構成例を示す正面図である。
【図５】図１に示した実施例のさらに他の構成例を示す正面図である。
【図６】本考案の実施例２の構成を示す正面図である。
【符号の説明】
【００２７】
１１  エプロン布
１２，１３  着脱テープ
１４、１５  鍋掴み
１６  掴み部
１７，１８，１９  着脱テープ
２１  エプロン布
２２，２３  着脱テープ
３１  エプロン布
３２  結び紐
４１  エプロン布
４２  手拭き布
【図１】
0003123770.tif 000003
【図２】
0003123770.tif 000004
【図３】
0003123770.tif 000005
【図４】
0003123770.tif 000006
【図５】
0003123770.tif 000007
【図６】
0003123770.tif 000008